(57)【要約】本発明は、液状の化工薬品のような危険物やその他の様々な液状の内容物を収容して保管することができ、上下に積層可能な中間バルクコンテナに関し、より詳しくは、１トン内外の内容物が収容される大きさに形成される中間バルクコンテナを、垂直支持棒を除いた殆どの構成品を合成樹脂材で形成することにより、全重量を軽量化し、製造原価を減らし、１トン内外の内容物が収容されて重い中間バルクコンテナを多数層に積層しても、合成樹脂材で形成した容器本体が膨張しながら破れたり破損したりすることなく、安定的に積層された状態を維持するように中間バルクコンテナを構成したものである。本発明は、容器の周囲方向に一定の間隔を置き、容器の長手方向に形成された複数の縦定着溝と、縦定着溝に定着される複数の垂直支持棒と、容器の長手方向に一定の間隔を置き、容器の周囲方向に形成された複数の横定着溝と、横定着溝に定着される複数の横支持バンドと、を備え、垂直支持棒と横支持バンドは互いに交差して設けられることを特徴とする。【選択図】図３
2016520025.tif 000002
【特許請求の範囲】
【請求項１】
容器の周囲方向に一定の間隔を置き、容器の長手方向に形成された複数の縦定着溝と、
前記縦定着溝に定着される複数の垂直支持棒と、
容器の長手方向に一定の間隔を置き、容器の周囲方向に形成された複数の横定着溝と、
前記横定着溝に定着される複数の横支持バンドと、を備え、
前記垂直支持棒と横支持バンドは互いに交差して設けられることを特徴とする、
中間バルクコンテナ。
【請求項２】
前記垂直支持棒は、前記容器の上下方向に作用する荷重を支持し、前記横支持バンドは、容器の円周方向に膨張しようとする力を支持することを特徴とする、
請求項１に記載の中間バルクコンテナ。
【請求項３】
前記容器の上部に嵌合設置され、前記垂直支持棒の上端部が挿入結合される複数の支持棒結合部が、周囲方向に間隔を置いて形成された上部カバーと、前記容器の下部に嵌合設置され、上部カバーの支持棒結合部に対応する位置に、前記垂直支持棒の下端部が挿入結合される複数の支持棒結合部が、周囲方向に間隔を置いて形成された下部支持台と、をさらに有することを特徴とする請求項１に記載の中間バルクコンテナ。
【請求項４】
前記上部カバーの両側に嵌合突起が突設され、前記嵌合突起の形成位置と対応する位置に、嵌合溝が、下部支持台の両側に形成されることを特徴とする請求項１に記載の中間バルクコンテナ。
【請求項５】
中間バルクコンテナの積層時、下側の中間バルクコンテナの嵌合突起が、上側の中間バルクコンテナの嵌合溝に嵌合され、上下に中間バルクコンテナが積層されることを特徴とする請求項４に記載の中間バルクコンテナ。
【請求項６】
前記容器、上部カバー、及び下部支持台は、合成樹脂材で成形し、前記垂直支持棒は、金属材で成形することを特徴とする請求項３に記載の中間バルクコンテナ。
【請求項７】
前記垂直支持棒は、金属管を半円管、四角管、円形管、または楕円管状に成形することを特徴とする請求項６に記載の中間バルクコンテナ。
【請求項８】
前記横支持バンドは、合成繊維糸を製織して形成され、または合成樹脂材または金属材で成形することを特徴とする請求項６に記載の中間バルクコンテナ。
【請求項９】
前記容器の上部及び下部に、前記上部カバーと前記下部支持台の外壁部の厚さだけ直径が減少する上下部嵌合部が形成されることを特徴とする請求項３に記載の中間バルクコンテナ。
【請求項１０】
前記容器の下端に弁取付溝が形成され、前記弁取付溝の内壁に排出弁が結合され、前記排出弁と容器の結合は、既成形された排出弁を容器金型に挿入した後、容器を成形しながら排出弁を容器と一体で結合することを特徴とする請求項１に記載の中間バルクコンテナ。
【請求項１１】
上部に形成される注入口に蓋が開閉可能に設けられ、前方下側に内側に窪んで形成される弁取付溝の内壁に排出口が形成され、その排出口に排出弁が設けられる容器本体と、
前記容器本体の上部にキャップ状に設けられ、蓋に対応する位置に通孔が形成され、上面の両側に嵌合突起が突設され、外周縁の全周に垂直支持棒の上端部が挿入結合される数個の支持棒結合部が間隔を置いて形成された上部カバーと、
前記容器本体の下部に嵌合設置され、両側下部にフォークリフトの爪が挿入されるフォークリフト爪挿入溝が形成され、上部カバーの支持棒結合部に対応する位置の外周縁の全周に、垂直支持棒の下端部が挿入結合される数個の支持棒結合部が形成され、他の中間バルクコンテナと積層時、下側に積層される中間バルクコンテナの嵌合突起が嵌合される嵌合溝が形成された下部支持台と、
前記容器本体の上下部に挿入設置された上部カバーの支持棒結合部と下部支持台の支持棒結合部に、それぞれ上下端部が挟持された状態で、螺合設置される垂直支持棒と、
容器本体の外周面に間隔を置いて上下方向に設けられた垂直支持棒の外周面を含む容器本体の外周面の全周を固く締め付けて設けられる数個の横支持バンドと、を備えることを特徴とする、
中間バルクコンテナ。
【請求項１２】
前記容器本体の上下部に、上部カバーと下部支持台の外壁部の厚さだけ直径が減少する上下部嵌合部が形成され、容器本体の外周縁には、前記垂直支持棒と横支持バンドが挿入される縦定着溝と横定着溝が形成され、容器本体の上面には、数個の内向リブが形成される構成が含まれることを特徴とする請求項１１に記載の中間バルクコンテナ。
【請求項１３】
前記下部支持台の上部には、水平方向に数個の支持棒挿入溝が形成され、それぞれの支持棒挿入溝には、容器本体の下部を支える底支持棒が設けられる構成が含まれることを特徴とする請求項１１に記載の中間バルクコンテナ。
【発明の詳細な説明】
【技術分野】
【０００１】
本発明は、液状の化工薬品のような危険物やその他の様々な液状の内容物を収容して保管することができ、上下に積層可能な中間バルクコンテナに関し、より詳しくは、１トン内外の内容物が収容される大きさに形成される中間バルクコンテナを、垂直支持棒を除いた殆どの構成品を合成樹脂材で形成することにより、製造原価を減らすとともに、中間バルクコンテナの全重量を軽量化し、１トン内外の内容物が収容されて重い中間バルクコンテナを多数層に積層しても、合成樹脂材で形成した容器本体が膨張しながら破れたり破損したりしないことはもとより、安定に積層された状態を維持するように中間バルクコンテナを構成したものである。
【背景技術】
【０００２】
従来の考案については、特許文献１により、その技術内容が知られている。
【０００３】
この従来の考案は、図１及び図２に示すように、注入口と排出口を有する液体収容空間を形成し、少なくとも前記注入口領域の板面に剛性補強用の段差部が設けられ、前記注入口から前記液体収容空間に引出し可能に収容される液体収容ビニルを有する筒本体１０と、前記筒本体１０の注入口を開閉可能な蓋１１と、前記筒本体１０の排出口に固定結合されるコック弁体１２と、を備え、液体収容筒１を構成することを特徴とする。
【０００４】
また、液体収容筒１を上部から支持可能であり、側面にフォークリフトの爪が挿入される挿入部分が形成されたパレット３０と、前記液体収容筒１を内蔵可能な多数の上下に平行な輪状の横棒２１と、前記横棒２１を連結する複数の縦棒２２と、下部横棒２４に固定結合された支持棒２５とを有し、前記パレット３０の上部に起立方向に結合されるフレーム２０と、で構成され、相互積載可能な積載ケースＣが構成されることを特徴とする。
【０００５】
このような従来の考案は、鉄製パレット３０の上部に鉄窓状のフレーム２０を設置して、積載ケースＣが構成され、その積載ケースＣの開口した上部を通じて、合成樹脂で形成した筒本体１０を単純に収容したものである。
【０００６】
このような従来の考案は、鉄製で作製される積載ケースＣに、筒本体１０が遊びを有して収容されるように大きく作製され、液状の内容物を収容して保管及び輸送する従来考案では、全体積が大きく、重量が重くなり、物流費が上昇し、しかも積載ケースＣの作製費が上昇してしまうという問題があった。
【先行技術文献】
【特許文献】
【０００７】
【特許文献１】大韓民国実用新案登録第２０‐０２９０４９１号（考案の名称：液体収容筒及びその積載ケース）公報
【発明の概要】
【発明が解決しようとする課題】
【０００８】
本発明は、上記問題点に鑑みなされたものであり、その目的は、容器本体の上下部に上部カバーと下部支持台をそれぞれ設置し、容器本体の外周縁の上部カバーと下部支持台との間に垂直支持棒と横支持バンドを設置することで、中間バルクコンテナを構成し、垂直支持棒を除いた殆どの構成品を合成樹脂材で形成し、中間バルクコンテナの重量と製造原価を減らす中間バルクコンテナを提供することにある。
【０００９】
本発明の他の目的は、それぞれの中間バルクコンテナを上下に積層したとき、一方の中間バルクコンテナの上部カバーと、これに対応する他方の中間バルクコンテナの下部支持台が互いに嵌合され、上下に積層するそれぞれの中間バルクコンテナが安定した積層状態を維持する中間バルクコンテナを提供することにある。
【００１０】
本発明のまた他の目的は、垂直支持棒と横支持バンドが、容器本体の外周面に設けられる横及び縦定着溝にそれぞれ挟持されることにより、合成樹脂材で形成される容器本体が膨張することを安定に支持するとともに、中間バルクコンテナの全体積が大きくならない中間バルクコンテナを提供することにある。
【課題を解決するための手段】
【００１１】
上述した目的を達成するための本発明による中間バルクコンテナは、容器の周囲方向に一定の間隔を置き、容器の長手方向に形成された複数の縦定着溝と、縦定着溝に定着される複数の垂直支持棒と、容器の長手方向に一定の間隔を置き、容器の周囲方向に形成された複数の横定着溝と、横定着溝に定着される複数の横支持バンドと、を備え、垂直支持棒と横支持バンドは互いに交差して設けられることを特徴とする。
【００１２】
また、垂直支持棒は、容器の上下方向に作用する荷重を支持し、横支持バンドは、容器の円周方向に膨張しようとする力を支持することを特徴とする。
【００１３】
また、容器の上部に嵌合設置され、垂直支持棒の上端部が挿入結合される複数の支持棒結合部が、周囲方向に間隔を置いて形成された上部カバーと、容器の下部に嵌合設置され、上部カバーの支持棒結合部に対応する位置に、垂直支持棒の下端部が挿入結合される複数の支持棒結合部が、周囲方向に間隔を置いて形成された下部支持台と、をさらに有することを特徴とする。
【００１４】
また、上部カバーの両側に嵌合突起が突設され、嵌合突起の形成位置と対応する位置に、嵌合溝が、下部支持台の両側に形成されることを特徴とする。
【００１５】
また、中間バルクコンテナの積層時、下側の中間バルクコンテナの嵌合突起が、上側の中間バルクコンテナの嵌合溝に嵌合され、上下に中間バルクコンテナが積層されることを特徴とする。
【００１６】
また、容器、上部カバー、及び下部支持台は、合成樹脂材で成形し、垂直支持棒は、金属材で成形することを特徴とする。
【００１７】
また、垂直支持棒は、金属管を半円管、四角管、円形管、または楕円管状に成形することを特徴とする。
【００１８】
また、横支持バンドは、合成繊維糸を製織して形成され、または合成樹脂材または金属材で成形することを特徴とする。
【００１９】
また、容器の上部及び下部に、上部カバーと下部支持台の外壁部の厚さだけ直径が減少する上下部嵌合部が形成されることを特徴とする。
【００２０】
上述した他の目的を達成するための本発明による中間バルクコンテナは、上部に形成される注入口に蓋が開閉可能に設けられ、前方下側に内側に窪んで形成される弁取付溝の内壁に排出口が形成され、その排出口に排出弁が設けられる容器本体と、容器本体の上部にキャップ状に設けられるものであり、蓋に対応する位置に通孔が形成され、上面の両側に嵌合突起が突設され、外周縁の全周に垂直支持棒の上端部が挿入結合される数個の支持棒結合部が間隔を置いて形成された上部カバーと、容器本体の下部に嵌合設置されるものであり、両側下部にフォークリフトの爪が挿入されるフォークリフト爪挿入溝が形成され、上部カバーの支持棒結合部に対応する位置の外周縁の全周に、垂直支持棒の下端部が挿入結合される数個の支持棒結合部が形成され、他の中間バルクコンテナと積層時、下側に積層される中間バルクコンテナの嵌合突起が嵌合される嵌合溝が形成された下部支持台と、容器本体の上下部に挿入設置された上部カバーの支持棒結合部と下部支持台の支持棒結合部に、それぞれ上下端部が挟持された状態で、螺合設置される垂直支持棒と、容器本体の外周面に間隔を置いて上下方向に設けられた垂直支持棒の外周面を含む容器本体の外周面の全周を固く締め付けて設けられる数個の横支持バンドと、を備えることを特徴とする。
【００２１】
また、容器本体の上下部に、上部カバーと下部支持台の外壁部の厚さだけ直径が減少する上下部嵌合部が形成され、容器本体の外周縁には、垂直支持棒と横支持バンドが挿入される縦定着溝と横定着溝が形成され、容器本体の上面には、数個の内向リブが形成される構成が含まれることを特徴とする。
【００２２】
また、下部支持台の上部には、水平方向に数個の支持棒挿入溝が形成され、それぞれの支持棒挿入溝には、容器本体の下部を支える底支持棒が設けられる構成が含まれることを特徴とする。
【発明の効果】
【００２３】
本発明によれば、容器本体の上下部に上部カバーと下部支持台をそれぞれ設置し、容器本体の外周縁の上部カバーと下部支持台との間に垂直支持棒と横支持バンドを設置することで、中間バルクコンテナを構成するが、垂直支持棒を除いた殆どの構成品を合成樹脂材で形成するため、中間バルクコンテナの重量と製造原価を減らすことができる。
【００２４】
また、上部カバーと下部支持台には、それぞれの中間バルクコンテナを上下に積層したとき、互いに対応する上部カバーと下部支持台が嵌合されるため、上下に積層するそれぞれの中間バルクコンテナが安定した積層状態を維持することができる。
【００２５】
また、垂直支持棒と横支持バンドが、容器本体の外周面に設けられる横及び縦定着溝にそれぞれ挟持されることにより、合成樹脂材で形成される容器本体が膨張することを安定的に支持するとともに、中間バルクコンテナの全体積が大きくならないという効果がある。
【００２６】
また、下部支持台の上部には、容器本体の下部を支持する数個の底支持棒が水平方向に設けられることにより、重い内容物が収容された容器本体を充分に支える、堅固な中間バルクコンテナを提供することができる。
【図面の簡単な説明】
【００２７】
【図１】従来の考案を示す斜視図である。
【図２】従来の考案を示す正面図である。
【図３】本発明による中間バルクコンテナを示す斜視図である。
【図４】本発明による中間バルクコンテナを示す分解斜視図である。
【図５】本発明による中間バルクコンテナを示す縦断面図である。
【図６】本発明に設けられる下部支持台を示す底面斜視図である。
【図７】図３の「Ａ」部を示す断面図である。
【発明を実施するための形態】
【００２８】
以下、添付した図面を参照して、本発明の好適な一実施例について説明する。なお、後述する一実施例は、特許請求の範囲に記載の本発明の内容を不当に限定せず、本実施形態において説明される構成の全体が本発明の解決手段として必須であるとはいえない。
【００２９】
本発明による中間バルクコンテナについて、添付した図３乃至図７を参考して詳述する。
【００３０】
本発明による中間バルクコンテナ１００は、図３乃至図５に示すように、上部に注入口１１６と、前方下側に排出口（図示せず）が形成され、この排出口に排出弁１１９が設けられる容器本体１１０と、容器本体１１０の上下部にそれぞれ結合される上部カバー１３０及び下部支持台１２０と、上部カバー１３０と下部支持台１２０との間に間隔を置き、容器本体１１０の外側の垂直方向に設けられる数個の垂直支持棒１４０と、容器本体１１０の外周面に垂直方向に設けられる垂直支持棒１４０を含み、容器本体１１０の外周面を水平方向に取り囲んで設けられる数個の横支持バンド１５０と、からなる。
【００３１】
前記容器本体１１０と、上部カバー１３０及び下部支持台１２０は、合成樹脂を成形して形成し、垂直支持棒１４０は、金属管を半円管状に成形して形成する。前記横支持バンド１５０は、硬い合成繊維糸を製織した硬いバンド、または引張強度の強い合成樹脂材で成形したバンドに具体化され、他の例として、鋼鉄バンドであってもよい。
【００３２】
前記容器本体１１０は、容器本体１１０の内側に液状の内容物を注入するための注入口１１６が上部に形成され、この注入口１１６にねじ部が形成され、蓋１１８が注入口１１６に螺子式で開閉可能に設けられる。前方下側には、容器本体１１０の内側に収容された内容物を排出するための排出口が形成されている。この排出口が形成された前方壁は、容器本体１１０の内側に窪んで形成され、このように窪んで形成された部分が弁取付溝１１３となる。
【００３３】
容器本体１１０は、図３に示すように、断面が円形であってもよい。
【００３４】
容器本体１１０の断面が円形であるので、上部カバー１３０及び下部支持台１２０の断面も円形であってもよい。
【００３５】
弁取付溝１１３の内壁に形成された排出口に排出弁１１９が設けられる。このとき、排出弁１１９の外側端部が容器本体１１０の外側に露出しないように（すなわち、弁取付溝１１３の空間内に排出弁１１９が挿入された状態となるように）、弁取付溝１１３の大きさを形成する。このようにして多数個の中間バルクコンテナ１００の保管時に保管される面積が大きくならないようにすることができる。
【００３６】
また、従来は、容器本体１１０を成形した後、排出弁１１９を熱融着して容器本体１１０と結合していたが、本発明では、予め成形された排出弁１１９を容器本体１１０の金型に挿入した後、容器本体１１０を成形しながら、排出弁１１９と一体で成形することが特徴である。
【００３７】
また、前記容器本体１１０の上部及び下部に、上部カバー１３０と下部支持台１２０の外壁部の厚さだけ直径が減少する上下部嵌合部１１４、１１５が形成される。容器本体１１０の外周縁には、前記垂直支持棒１４０と横支持バンド１５０が挿入される縦定着溝１１１と横定着溝１１２がそれぞれ一定の距離だけ離隔して形成される。容器本体１１０の上面には、複数の内向リブ１１７が形成される。
【００３８】
前記上部カバー１３０は、容器本体１１０の上部にキャップ状に上部嵌合部１１４に設けられる。上部カバー１３０の蓋１１８に対応する位置に通孔１３１が上下に貫設され、上面の両側に嵌合突起１３２が突設され、外周縁の全周にわたって、垂直支持棒１４０の上端部が挿入結合される複数の支持棒結合部１３３が間隔を置いて形成されている。
【００３９】
また、前記下部支持台１２０は、容器本体１１０の下部に嵌合設置される。下部支持台１２０は、両側下部にフォークリフトの爪が挿入されるフォークリフト爪挿入溝１２４が形成され、上部カバー１３０の支持棒結合部１３３に対応する位置の外周縁の全周に、垂直支持棒１４０の下端部が挿入結合される複数の支持棒結合部１２２が形成される。下部支持台１２０には、他の中間バルクコンテナ１００との積層時、下側に積層される中間バルクコンテナ１００の嵌合突起１３２が嵌合される嵌合溝１２５が形成されている。
【００４０】
図４及び図５に示すように、下部支持台１２０の上部には、水平方向に複数の支持棒挿入溝１２７が離隔して形成され、そのそれぞれの支持棒挿入溝１２７には、容器本体１１０の下部を支える底支持棒１２６が設けられる。このとき、前記複数の底支持棒１２６には、金属からなる「Ｈ」型鋼や四角管、「Ｃ」型鋼等を用いることが好ましい。
【００４１】
前記垂直支持棒１４０は、上部カバー１３０の支持棒結合部１３３と下部支持台１２０の支持棒結合部１２２に、それぞれ上端部及び下端部が挟持された状態で、それぞれの支持棒結合部１３３、１２２にねじが締め付けられて結合設置される。垂直支持棒１４０の形状が半円管状に形成されたものについて説明しているが、四角管や円形管、楕円管状に形成してもよい。
【００４２】
また、前記横支持バンド１５０は、容器本体１１０の外周面に水平方向に間隔を置き、垂直支持棒１４０の外周面を含み、容器本体１１０の外周縁の全周を取り囲んで設けられる。上述した垂直支持棒１４０及び横支持バンド１５０は、合成樹脂材で形成される容器本体１１０がつぼ状に膨張しながら腹が膨れ上がった形状が発生しないようにする。
【００４３】
図面符号のうち、未説明符号「１２１」は、下部支持台１２０の全周に垂直形成される外壁部であり、「１２３」は、下部支持台１２０に形成される弁収納部である。
【００４４】
図３乃至図７を参考して、このように構成された本発明の作用関係について詳述する。
【００４５】
本発明による中間バルクコンテナ１００は、大別して、主に液状の内容物が収容される容器本体１１０と、容器本体１１０の上部に嵌合される上部カバー１３０及び容器本体１１０の下部に嵌合される下部支持台１２０と、上部カバー１３０と下部支持台１２０との間に設けられる垂直支持棒１４０及び横支持バンド１５０と、からなる。
【００４６】
前記容器本体１１０の上下部に、上部カバー１３０と下部支持台１２０の外壁部の厚さだけ直径が減少する上下部嵌合部１１４、１１５が形成されており、容器本体１１０の上下部に上部カバー１３０と下部支持台１２０をそれぞれ嵌合したとき、図５の「Ｂ」のように、上部カバー１３０及び下部支持台１２０の外壁部と、容器本体１１０の外壁面とが同一の高さに滑らかに組み立てられる。排出弁１１９が弁取付溝１１３の内側に設けられ、または容器本体の外側に突出しないように設けられることにより、多数個の中間バルクコンテナ１００を単位面積当たり多く積み上げることができる。
【００４７】
垂直支持棒１４０を結合させる方法は、図３、図４及び図７に示すように、上部カバー１３０と下部支持台１２０にそれぞれ形成された支持棒結合部１３３、１２２に、金属管で形成された垂直支持棒１４０を挿入した後、支持棒結合部１３３、１２２の外側からねじを締め付けて結合させる。
【００４８】
このとき、垂直支持棒１４０は、容器本体１１０の周囲方向に一定の間隔を置き、容器本体１１０の長手方向に形成された縦定着溝１１１に挿入されなければならない。
【００４９】
このように容器本体１１０の上部及び下部に上部カバー１３０と下部支持台１２０を嵌合するとともに、複数の垂直支持棒１４０を設置した上で、それぞれの垂直支持棒１４０と容器本体１１０の外周縁を取り囲んで横支持バンド１５０を設置する。容器本体１１０の周囲方向に複数で形成され、容器本体１１０の長手方向に一定の間隔を置いて形成された横定着溝１１２に横支持バンド１５０が挿入される。したがって、横支持バンド１５０が垂直支持棒１４０と交差して設置される。
【００５０】
このように容器本体１１０の上部及び下部に上部カバー１３０と下部支持台１２０が設けられ、容器本体１１０の外側の上部カバー１３０と下部支持台１２０との間に、垂直支持棒１４０と横支持バンド１５０がそれぞれ設けられることにより、容器本体１１０に１トン内外の内容物が収容され得る。
従来の中間バルクコンテナを上下に積層すると、容器本体が外側につぼ状に膨張しながら腹が膨れ上がった形状となり得る。しかし、本発明による中間バルクコンテナ１００は、前記垂直支持棒１４０が上下方向に作用する荷重を支持し、横支持バンド１５０が円周方向に膨張しようとする力を支持するため、腹が膨れ上がる現象が生じないようになる。
【００５１】
前記垂直支持棒１４０が縦定着溝１１１に定着され、横支持バンド１５０が横定着溝１１２に定着されていることにより、垂直支持棒１４０と横支持バンド１５０が位置を外れてしまうことがなく、いつも安定的に容器本体１１０を固く締め付けて容器本体１１０を支持するようになる。
【００５２】
また、前記容器本体１１０に縦定着溝１１１と横定着溝１１２が形成されるとともに、容器本体１１０の上面に数個の内向リブ１１７が形成され、容器本体１１０の上下部に上下部嵌合部１１４、１１５がそれぞれ形成されていることにより、合成樹脂材を成形して作製された容器本体１１０の全体の強度が増えるようになる。
【００５３】
また、本発明による中間バルクコンテナ１００を上下に積層したとき、図４及び図６、図７に示すように、上部カバー１３０に嵌合突起１３２が上向き突設され、下部支持台１２０に嵌合溝１２５が形成されており、下側に位置した中間バルクコンテナ１００の嵌合突起１３２が、上側に積層される中間バルクコンテナ１００の嵌合溝１２５に嵌合されるため、上下に積層されたそれぞれの中間バルクコンテナ１００が転がったり外れたりすることなく、安定した状態を維持するようになる。
【００５４】
また、本発明による中間バルクコンテナ１００は、下部支持台１２０の下部両側にフォークリフト爪挿入溝１２４が形成され、１トン内外の重い中間バルクコンテナ１００を容易に移送することができる。
【００５５】
また、図４及び図５に示すように、前記下部支持台１２０の上部には、水平方向に数個の支持棒挿入溝１２７が形成され、それぞれの支持棒挿入溝１２７には、容器本体１１０の下部を支える底支持棒１２６が設けられるので、重い内容物が収容される容器本体１１０を下部支持台１２０が充分に支え、それにより、堅固な中間バルクコンテナ１００を提供することができる。
【図１】
2016520025.tif 000003
【図２】
2016520025.tif 000004
【図３】
2016520025.tif 000005
【図４】
2016520025.tif 000006
【図５】
2016520025.tif 000007
【図６】
2016520025.tif 000008
【図７】
2016520025.tif 000009
【国際調査報告】
2016520025.tif 000010
2016520025.tif 000011
2016520025.tif 000012
2016520025.tif 000013